(57)【要約】【課題】個性的で良好な装飾性を有する墓石を提供する。【解決手段】墓石本体３と、この墓石本体３に設けられている装飾手段４とを備えた墓石１であり、このうち装飾手段４を、連鎖状に配置された複数の天然石や人工石などの装飾用部材５からなるものとし、当該複数の装飾用部材５のうち隣合う２つの装飾用部材５同士の間隔ｄ１を１０ｍｍ〜５０ｍｍとし、装飾性を格段に向上させた。【選択図】図１
0003177756.tif 000002
【実用新案登録請求の範囲】
【請求項１】
墓石本体と、この墓石本体に設けられている装飾手段とを備えた墓石であって、
前記装飾手段が、連鎖状に配置された複数の装飾用部材からなることを特徴とする墓石。
【請求項２】
前記複数の装飾用部材のうち隣合う２つの装飾用部材同士の間隔が１０ｍｍ〜５０ｍｍであることを特徴とする請求項１に記載の墓石。
【請求項３】
前記複数の装飾用部材の各々は、ダイヤ、サファイヤ、ルビー等の天然石、又はガラス等の人工石からなると共に、宝石状に型取られた装飾表面を有していることを特徴とする請求項１又は２に記載の墓石。
【請求項４】
前記墓石本体に前記各装飾用部材を固定するための複数の固定凹部が形成されており、当該各装飾用部材は、当該各固定凹部に略全体を嵌め込まれるか又は３ｍｍ〜５ｍｍを突出させた状態で嵌め込まれ、かつ当該各装飾用部材が透明性を有する接着剤によって当該固定凹部へ固定されていることを特徴とする請求項１〜３のいずれかに記載の墓石。
【請求項５】
前記各装飾用部材が、前記各固定凹部との間に光反射性シートを介在させた状態で固定されていることを特徴とする請求項１〜４のいずれかに記載の墓石。
【請求項６】
前記光反射性シートは、前記各装飾用部材の縁部から外側へはみ出した状態となっていることを特徴とする請求項５に記載の墓石。
【請求項７】
前記複数の固定凹部のうち隣合う２つの固定凹部間の墓石本体の両縁部分が、互いに平行状であるか又は装飾用部材側に凸状となっていることを特徴とする請求項１〜６のいずれかに記載の墓石。
【請求項８】
前記複数の装飾用部材の各々は正面視で略円形状に形成されており、前記墓石本体の固定凹部は正面視で当該各装飾用部材が脱落しない程度の楕円形状に形成されていることを特徴とする請求項１〜７のいずれかに記載の墓石。
【考案の詳細な説明】
【技術分野】
【０００１】
本考案は、良好な装飾性が付与された墓石に関する。
【背景技術】
【０００２】
従来の墓石は、石材などで構成された墓石本体に、名前などを単に彫り込んだものが多く装飾性は低かった。しかし、単に名前などを彫り込んだものではなく、装飾性のある個性的な墓石が今後好まれていくことが予想される。例えば、特許文献１には、花の形を彫った本体部と、この本体部の裏面から突出する軸部からなる墓石用花飾りが、墓石本体に設けられた墓石が記載されている。
【先行技術文献】
【特許文献】
【０００３】
【特許文献１】特開２００９−７４２４８号公報
【考案の概要】
【考案が解決しようとする課題】
【０００４】
しかし、特許文献１の墓石では、墓石用花飾りによって装飾性が付与されているとはいえ、当該墓石は個性的な装飾性をもつほどのものとはいえない。そのため、今後、要望される高い装飾性を付与するといった点を満たすことはできない。
【０００５】
そこで本考案は、上記従来技術の問題点に鑑み、個性的で良好な装飾性を有する墓石を提供することを目的とする。
【課題を解決するための手段】
【０００６】
上記目的を達成するため、次の技術的手段を講じた。
即ち、本考案の墓石は、墓石本体と、この墓石本体に設けられている装飾手段とを備えた墓石であって、前記装飾手段が、連鎖状に配置された複数の装飾用部材からなることを特徴とする。
【０００７】
上記本考案によれば、連鎖状に配置された複数の装飾用部材からなる装飾手段を備える墓石としているので装飾性が格段に向上し、個性的で良好な装飾性を得ることができる。
【０００８】
前記複数の装飾用部材のうち隣合う２つの装飾用部材同士の間隔が１０ｍｍ〜５０ｍｍであることが好ましい。隣合う２つの装飾用部材同士の間隔を１０ｍｍ〜５０ｍｍとすれば、高い連続性が得られ、装飾性を向上させることができる。
【０００９】
前記複数の装飾用部材の各々は、ダイヤ、サファイヤ、ルビー等の天然石、又はガラス等の人工石からなると共に、宝石状に型取られた装飾表面を有していることが好ましい。この場合、より個性的な墓石とすることができる。
【００１０】
前記墓石本体に前記各装飾用部材を固定するための複数の固定凹部が形成されており、当該各装飾用部材は、当該各固定凹部に略全体を嵌め込まれるか又は３ｍｍ〜５ｍｍを突出させた状態で嵌め込まれたものが挙げられ、この場合には、各装飾用部材を、透明性を有する接着剤によって当該固定凹部へ固定するのが好ましい。これにより、装飾性を向上させることができる。
【００１１】
前記複数の装飾用部材の各々が、前記墓石本体との間に光反射性シートを介在させた状態で固定されていてもよい。光反射性シートによる光の反射によって、装飾用部材が煌びやかに映り、装飾性を格段に向上させることができる。
【００１２】
前記光反射性シートは、前記各装飾用部材の縁部から外側へはみ出した状態となっていてもよい。この場合には、装飾用部材の縁部から外側へはみ出した光反射性シートによって、より装飾性の高い墓石とすることができる。
【００１３】
前記複数の固定凹部のうち隣合う２つの固定凹部間の墓石本体の両縁部分が、互いに平行状であるか又は装飾用部材側に凸状となっていることが好ましい。この場合、隣合う２つの固定凹部間の墓石本体の強度が維持されて、当該固定凹部間の墓石本体の欠損などを防止することができる。
【００１４】
前記複数の装飾用部材の各々は正面視で略円形状に形成されており、前記墓石本体の固定凹部は正面視で当該各装飾用部材が脱落しない程度の楕円形状に形成されているものであってもよい。この場合、各装飾用部材の脱落を防止することができ、高品質な墓石を提供することができる。
【考案の効果】
【００１５】
上記の通り、本考案によれば、連鎖状に配置された複数の装飾用部材を有する墓石としているので、装飾性が格段に向上し、個性的で良好な装飾性を得ることができる。
【図面の簡単な説明】
【００１６】
【図１】本考案の第１実施形態に係る墓石の斜視図である。
【図２】墓石の表面の拡大図である。
【図３】装飾用部材が固定されている状態を示す断面図である。
【図４】２つの固定凹部間の墓石本体の拡大図である。
【図５】本考案の第２実施形態に係る墓石の正面図である。
【図６】装飾用部材が固定されている他の状態を示す断面図である。
【図７】本考案の第３実施形態に係る墓石の斜視図である。
【考案を実施するための形態】
【００１７】
以下、本考案の実施形態について図面を参照して説明する。図１は本考案の第１実施形態に係る墓石１の斜視図であり、図２は墓石１の表面の拡大図である。この墓石１は洋型に形成されたものであり、当該墓石１を構成する石材は限定されるものではなく、例えば御影石、黒竜石、天山石、万成石などが挙げられる。本考案の墓石は、洋型に限られず、和型、和洋折衷型などにも適用することができる。
【００１８】
墓石１は、二段状の基石２の上に載置された墓石本体３と、この墓石本体３に設けられている装飾手段４とを備えており、特に装飾性を施したものとされている。本実施形態の墓石本体３は、全体として台形状に形成されると共に、当該墓石本体３の上部３ａが湾曲状となっている。
【００１９】
墓石本体３に設けられた装飾手段４は複数の装飾用部材５からなり、これら複数の装飾用部材５は連鎖状に配置されている。複数の装飾用部材５によって、図１のように十字架の形が表されている。図３は各装飾用部材５が墓石本体３に固定されている状態を示す断面図である。墓石本体３には、ブラスト加工によって彫り込まれた複数の固定凹部６が連鎖状に形成されている。複数の装飾用部材５は、墓石本体３に形成された複数の固定凹部６にそれぞれ嵌め込まれた状態で固定されている。複数の装飾用部材５のうち隣合う２つの装飾用部材５間の間隔ｄ１は１０ｍｍ〜５０ｍｍとされている（図２参照）。隣合う２つの装飾用部材５間の間隔ｄ１が１０ｍｍを下回ると、隣合う２つの装飾用部材５同士が近づき過ぎて両部材５間の墓石本体３の欠損が生じ、５０ｍｍを上回ると、連続性が低下して装飾性が損なわれるからである。なお、複数の装飾用部材５のうち隣合う２つの装飾用部材５間の間隔ｄ１は１０ｍｍ〜３５ｍｍがより好ましく、１０ｍｍ〜１５ｍｍがさらに好ましい。
【００２０】
複数の装飾用部材５の各々の形状に関し、本実施形態では正面視で円形状としているが、当該形状は限定するものではなく、例えば四方形状、楕円形状等であってもよい。各装飾用部材５の正面視における最大寸法ｄ２は５０ｍｍ〜１００ｍｍが好ましく、より好ましくは３ｍｍ〜３０ｍｍであり、さらに好ましくは３ｍｍ〜１５ｍｍである。各装飾用部材５の正面視における最大寸法ｄ２をかかる寸法とすることで装飾性を高めることができる。
【００２１】
複数の装飾用部材５の各々を形成する素材は限定するものではなく、例えば、クリスタル、スワロフスキー、ダイヤ、サファイヤ、ルビー、エメラルド、アクアマリン、トパーズ、ガーネット、ラピスラズリ、タンザナイト、水晶、翡翠、ルチルクオーツ、ローズクオーツ、ムーンストーン、モルガナイト、オパール、ターコイズ等の天然石、ガラス等の人工石が挙げられる。各装飾用部材５は、宝石状に型取られた装飾表面５ａを有している。装飾表面５ａの形状は、限定するものではなく、ブリリアントカット、ラインドカット、シングルカット、ジルコンカットなどが挙げられる。
【００２２】
墓石本体３の固定凹部６に嵌め込まれている各装飾用部材５の突出寸法ｄ３は３ｍｍ〜５ｍｍが好ましい（図３参照）。各装飾用部材５の一部を突出させることで、高い装飾性を得ることができる。なお、各装飾用部材５の略全体を、墓石本体３の固定凹部６に嵌め込むようにしてもよい。各装飾用部材５は、透明性を有する接着剤７によって各固定凹部６へ固定されている。透明性を有する接着剤７を採用することによって、接着剤７の色相による装飾性の低下を防ぐことができる。
【００２３】
図４は、隣合う２つの固定凹部６間の墓石本体３の拡大図である。複数の固定凹部６のうち隣合う２つの固定凹部６間の墓石本体３の両縁部分３ａが互いに平行状となっている。固定凹部６間の墓石本体３ｂがこのような形状となっていることによって、当該固定凹部６間の墓石本体３ｂの強度が維持されて、当該墓石本体３ｂの欠損などを防止することができる。複数の固定凹部のうち隣合う２つの固定凹部間の墓石本体の両縁部分を、互いに装飾用部材側に凸状となるようにしてもよい。この場合にも、２つの固定凹部間の墓石本体の強度が維持されて、当該墓石本体の欠損などを防止することができる。
【００２４】
各固定凹部６は、正面視で当該各装飾用部材５が脱落しない程度の楕円形状に形成されている。このようにすることで、各装飾用部材５の脱落を防止することができ、高品質な墓石を提供することができる。各固定凹部の形状は、各装飾用部材を嵌め込むことができれば限定するものではなく、例えば、各装飾用部材が四方形状であれば、当該装飾用部材の各辺を周囲から抑えるための内方へ凸となる形状を固定凹部に形成してもよい。
【００２５】
上記本実施形態の墓石１とすれば、連鎖状に配置された複数の装飾用部材５からなる装飾手段４を備えているので、装飾性が格段に向上している。これにより、個性的で良好な装飾性を得ることができる。また、複数の装飾用部材５のうち隣合う２つの装飾用部材５同士の間隔ｄ１を１０ｍｍ〜５０ｍｍとしているので、複数の装飾用部材５の高い連続性が得られ、装飾性を向上させることができる。
【００２６】
複数の装飾用部材５の各々が、ダイヤ、サファイヤ、ルビー等の天然石、又はガラス等の人工石からなると共に、宝石状に型取られた装飾表面５ａを有しているため、より個性的な墓石とすることができる。
【００２７】
図５は、本考案の第２実施形態に係る墓石１０の正面図である。本実施形態では、複数の装飾用部材１１が連鎖状に配置されていることによって、牡牛座の形状が表されている。墓石の購入者が自分の星座を刻んでおきたい場合などには、本実施形態のように、複数の装飾用部材１１を、その人の星座を表すように連鎖状に固定すれば、購入者の意向に沿ったものとすることができる。
【００２８】
上記の各実施形態は例示であり制限的なものではない。複数の装飾用部材で表す形は、どのようなものでもよく、上記実施形態の十字架や星座だけでなく、ネックレスなどの宝飾品の形など、所望の形とすることができる。更に、各装飾用部材が、各固定凹部との間に光反射性シートを介在させた状態で固定されているものであってもよい。墓石に設ける複数の装飾用部材は、同じ形、同じ大きさに限定されず、異なる形、異なる大きさのものを組み合わせてもよい。例えば、墓石に大きなシンボル的な装飾用部材を一つ設け、その両側から小さい装飾用部材をネックレス状に連ねることなどが挙げられる。
【００２９】
図６は、複数の装飾用部材１５が固定されている他の状態を示す断面図である。この図に示される各装飾用部材１５は、金箔、銀箔などの光反射性シート１６を貼り付けた状態の固定凹部１７に固定されている。墓石１８は、墓石本体１９の固定凹部１７に、透明性を有する接着剤２０を塗布し、光反射性シート１６を貼り付け、その上に、更に透明性を有する接着剤２０を塗布し、その後、装飾用部材１５を嵌め込むことで構成されている。光反射性シート１６は、各装飾用部材１５の縁部１５ａから外側へはみ出した状態となっている。光反射性シート１６による光の反射によって、各装飾用部材１５が煌びやかに映り、装飾性を格段に向上させることができる。更に、光反射性シート１６が、各装飾用部材１５の縁部１５ａから外側へはみ出した状態となっているため、より装飾性の高い墓石１８とすることができる。
【００３０】
図７は、本考案の第３実施形態に係る墓石３０の斜視図である。本実施形態では、洋型の墓石本体３１の前面部に、複数の装飾用部材３２が全体としてネックレス状に配置されている。複数の装飾部材は、第1実施形態と同じ形状に形成されている。最下部の装飾部材３３が最も大きく、この最下部の装飾部材３３に隣接する装飾部材３４から上下方向中央部の装飾部材３５までが、上方に向かうに従って徐々に小さくなっている。上下方向中央部の装飾部材３５よりも上側の装飾部材３６は互いに同じ大きさとなっている。このように複数の装飾用部材３２をネックレス状に配置することにより、特に女性の意向に沿った墓石とすることができる。
【符号の説明】
【００３１】
１、１０、１８、３０    墓石
３、１９、３１    墓石本体
３ａ  両縁部分
３ｂ  固定凹部間の墓石本体
４    装飾手段
５、１１、１５、３２    装飾用部材
５ａ  装飾表面
６、１７    固定凹部
１６  光反射性シート
【図１】
0003177756.tif 000003
【図２】
0003177756.tif 000004
【図３】
0003177756.tif 000005
【図４】
0003177756.tif 000006
【図５】
0003177756.tif 000007
【図６】
0003177756.tif 000008
【図７】
0003177756.tif 000009